(57)【要約】【課題】遊技客が楽な姿勢で快適に遊技可能な遊技機島を提供する。【解決手段】支柱や梁等の骨格部材に対し、天板１０、妻板、幕板１２、ランプ板１３、台間板１４、膳板１５、腰板１６、幅木１７等の板状部材を組み付けることにより、遊技機島１を形成する。さらに、遊技機島１の内部に、遊技球を一時的に貯留することが可能な貯留部３７を形成する。このとき、遊技機島１の外壁面を形成する板状部材が、貯留部３７の側壁部１６，４５の一部を兼ねる構造とすることで、遊技機島１を小型化する。そして、遊技者の周辺のスペースを広く確保する。【選択図】図３
2015134153.tif 000002
【特許請求の範囲】
【請求項１】
１又は複数台の遊技機を配設するための遊技機島であって、
骨格部材を有し、当該骨格部材に板状部材を組み付けて形成されるものであり、
内部空間に前記遊技機で用いる遊技媒体を搬送するための搬送経路と、前記遊技媒体を貯留するための貯留部が設けられ、
前記貯留部は、側壁を形成する側壁部を有し、当該側壁部に囲繞されて形成される収容空間に前記遊技媒体を貯留するものであり、
前記内部空間に面する壁面を形成する前記板状部材が前記側壁部を兼ねることを特徴とする遊技機島。
【請求項２】
前記遊技機の下側で前記内部空間と外部を区切る腰板部を有し、当該腰板部のうちで前記内部空間に面する壁面を形成する部分が前記側壁部を兼ねることを特徴とする請求項１に記載の遊技機島。
【請求項３】
内部に遊技球を搬送するための搬送用設備を備え、前記搬送用設備が前記側壁部を兼ねており、
前記搬送用設備を移動させることにより、前記収容空間の容積を可変可能であることを特徴とする請求項１又は２に記載の遊技機島。
【請求項４】
前記腰板部が所定間隔を空けて対向配置されており、前記腰板部の間に立板部材が設けられ、
前記立板部材の取付位置を変更することにより、前記収容空間の容積を可変可能であることを特徴とする請求項２又は３に記載の遊技機島。
【請求項５】
前記貯留部の底面を形成する底板部を有し、当該底板部は、床面から離れた位置にあることを特徴とする請求項１乃至３のいずれかに記載の遊技機島。
【請求項６】
前記収容空間は、前記側壁部と、底面を形成する底板部によって囲繞されており、
前記底板部は、上面の位置を高さ方向に可変可能となっており、前記底板部の取付位置を変更することで、前記収容空間の容積を可変可能であることを特徴とする請求項１乃至５のいずれかに記載の遊技機島。
【請求項７】
遊技球を搬送するための搬送用設備を備えており、
前記搬送用設備は、前記収容空間よりも前記遊技球の流れ方向における下流側に位置しており、取付位置を高さ方向に可変可能となっていることを特徴とする請求項１乃至６のいずれかに記載の遊技機島。
【請求項８】
遊技球を搬送するための搬送用設備と、前記遊技球を搬送するための搬送路を備えており、
前記搬送路は、前記遊技球の流れ方向における上流側に位置する部分が前記搬送用設備と連結しており、取付角度及び／又は搬送長さを可変可能であることを特徴とする請求項１乃至７のいずれかに記載の遊技機島。
【発明の詳細な説明】
【技術分野】
【０００１】
本発明は、ぱちんこ機やスロット機といった遊技機を設置するための遊技機島に関する。
【背景技術】
【０００２】
ぱちんこ機やスロット機等の遊技機が設置される遊技場では、一般的に、遊技機島と称される建造物が設けられている。そして、この遊技機島には、遊技機が設置されると共に、設置された遊技機への遊技媒体の供給や、遊技機からの遊技媒体の回収を可能とするための各種装置が内蔵されている。
【０００３】
このような遊技機島として、例えば、特許文献１に開示された遊技機島がある。この遊技機島では、複数のぱちんこ機が並列配置されており、その内部に遊技球を循環させるための経路が設けられている。
具体的には、ぱちんこ機よりも高位置に、島上タンクと、ぱちんこ機に遊技球を供給するための上側搬送路が配されている。また、ぱちんこ機よりも低位置に、島中タンクと、ぱちんこ機から排出された遊技球を回収するための下側搬送路と、遊技球を研磨するための研磨装置と、遊技球を上方へと搬送するための揚送装置が配されている。そして、島上タンクと揚送装置の間と、上側搬送路と島中タンクの間には、縦方向に延びる縦搬送路が設けられている。
【０００４】
すなわち、島上タンクに貯留された遊技球は、上側搬送路を経て各ぱちんこ機に供給される。ぱちんこ機から排出された遊技球は、下側搬送路を介して研磨装置へと導入されて研磨され、その後、揚送装置に導入されて上方へ揚送される。そして、上方へ揚送された遊技球は、島上タンクに導入されることとなる。このように、遊技機島の内部には、遊技機を経て遊技球が循環するための経路が形成されている。
【０００５】
その一方、島上タンク内部の遊技球が一定以上になれば、過剰分の遊技球が上側搬送路（又はこれに沿って延びる搬送路）を介して縦搬送路へと至り、縦搬送路を介して島中タンクの内部に導入される構造となっている。
つまり、遊技機島では、遊技球を一時的に貯留可能な貯留部として機能する島中タンクを内蔵させることにより、上記した経路を流れる遊技球の量を調整可能となっている。
【先行技術文献】
【特許文献】
【０００６】
【特許文献１】特開２０１３−１３２４６９号公報
【発明の概要】
【発明が解決しようとする課題】
【０００７】
ところで、一般的な遊技場では、一人でも多くの人に遊技を楽しんで頂くべく、遊技者一人当たりの専有スペースが必要最小限に設定されている。すなわち、遊技機島に配置した遊技機と、それに対応する位置に配された椅子との間隔もまた、標準的体格の者が何とか着座し得る程度のスペースに設定されている。このことから、椅子と遊技機島の下方部分との間に形成される空間、すなわち、遊技者が椅子に座ったとき、遊技者の足が配される空間もまた狭くなっている。したがって、例えば遊技者の体が大きい場合、遊技者が足を伸ばした楽な姿勢で遊技できないおそれがあった
【０００８】
そこで、本発明では、従来技術の問題点に鑑み、例え体の大きな遊技者であっても楽な姿勢で遊技することが可能な遊技機島を提供することを課題とする。
【課題を解決するための手段】
【０００９】
上記課題を解決するための請求項１に記載の発明は、１又は複数台の遊技機を配設するための遊技機島であって、骨格部材を有し、当該骨格部材に板状部材を組み付けて形成されるものであり、内部空間に前記遊技機で用いる遊技媒体を搬送するための搬送経路と、前記遊技媒体を貯留するための貯留部が設けられ、前記貯留部は、側壁を形成する側壁部を有し、当該側壁部に囲繞されて形成される収容空間に前記遊技媒体を貯留するものであり、前記内部空間に面する壁面を形成する前記板状部材が前記側壁部を兼ねることを特徴とする遊技機島である。
【００１０】
本発明の遊技機島では、遊技機島の壁面を形成する板状部材が、貯留部の側壁部を兼ねる構造となっている。そして、側壁部によって囲繞された収容空間に遊技媒体を貯留することを可能としている。
すなわち、従来であれば、上記したように、遊技機島の内部に別途製造したタンクを内蔵させ、その内部に遊技媒体を貯留している。これに対し、本発明の遊技機島では、遊技機島の内部空間と外部空間を区切る壁部分の内側に、遊技媒体を直接貯留することが可能な構造となっている。このような構成によると、別途製造したタンクを内蔵させる構造に比べ、遊技媒体の最大貯留量を減少させることなく、遊技機島の小型化を図ることが可能となる。
【００１１】
つまり、従来の別途製造したタンクを内蔵させる構造では、遊技機島の内部空間にタンクを配置するので、遊技機島の壁部分の内側にタンクの側壁が位置し、さらにその内側に遊技媒体が貯留されることとなる。
これに対し、遊技機島の壁部分の内側に形成される収容空間に遊技媒体を貯留させる構造では、遊技機島の内部空間と外部空間を区切る壁部分のすぐ内側に遊技媒体が貯留されるため、タンクの側壁を配置するための領域を必要としない。このことから、遊技機島を小型化することが可能となる。
【００１２】
このように、遊技機島の小型化が可能な構造によると、遊技機島の周辺により広い空間を確保することが可能となり、遊技者一人当たりの専有スペースをより広く設定することが可能となる。言い換えると、遊技者に楽な姿勢で遊技するための広い専有スペースを提供することができる。
【００１３】
請求項２に記載の発明は、前記遊技機の下側で前記内部空間と外部を区切る腰板部を有し、当該腰板部のうちで前記内部空間に面する壁面を形成する部分が前記側壁部を兼ねることを特徴とする請求項１に記載の遊技機島である。
【００１４】
本発明の遊技機島は、このような構造であることが好ましい。
【００１５】
請求項３に記載の発明は、内部に遊技球を搬送するための搬送用設備を備え、前記搬送用設備が前記側壁部を兼ねており、前記搬送用設備を移動させることにより、前記収容空間の容積を可変可能であることを特徴とする請求項１又は２に記載の遊技機島である。
【００１６】
請求項４に記載の発明は、前記腰板部が所定間隔を空けて対向配置されており、前記腰板部の間に立板部材が設けられ、前記立板部材の取付位置を変更することにより、前記収容空間の容積を可変可能であることを特徴とする請求項２又は３に記載の遊技機島である。
【００１７】
かかる構成によると、貯留部の最大貯留量を安価且つ容易に変更可能となる。
【００１８】
また、本発明は、前記貯留部の底面を形成する底板部を有し、当該底板部は、床面から離れた位置にあることがさらに好ましい（請求項５）。
【００１９】
請求項６に記載の発明は、前記収容空間は、前記側壁部と、底面を形成する底板部によって囲繞されており、前記底板部は、上面の位置を高さ方向に可変可能となっており、前記底板部の取付位置を変更することで、前記収容空間の容積を可変可能であることを特徴とする請求項１乃至５のいずれかに記載の遊技機島である。
【００２０】
かかる構成では、底板部の取付位置を上下方向に移動させることにより、収容空間の容積を可変可能となっている。すなわち、底板部を低位置に配することで収容空間の容積を大きくし、底板部を高位置に配することで収容空間の容積を小さくすることができる。
【００２１】
ところで、通常、収容空間には、上側から落下した遊技球（遊技媒体）が流入することととなる。ここで、収容空間に遊技球が貯留されていない場合、遊技球は、収容空間の上端から底面まで落下することとなる。このとき、収容空間の上端から底面までの距離が長ければ長い程、遊技球の落下に伴って床面が受ける衝撃が大きくなってしまう。
【００２２】
上記構成では、収容空間の容積を小さくする場合、底板部が高位置に配された状態となる。この場合、収容空間の上端から底面までの距離が短くなり、遊技球の落下に伴って床面が受ける衝撃を小さくすることができる。
【００２３】
なお、収容空間の容積を大きくした場合には、収容空間の上端から底面までの距離が長くなる。しかしながら、この場合は、通常、内部に一定量以上の遊技球が貯留された状態を維持しつつ遊技機島を使用する。つまり、収容空間内では、常に一定量以上の遊技球が貯留された状態となる。そして、すでに堆積している遊技球の上に新たな遊技球が落下するため、新たな遊技球が床面まで到達せず、床面が大きな衝撃を受けてしまうことはない。
【００２４】
また、収容空間の容積を可変可能な構造とすると、各台計数機を設ける場合と、そうでない場合の双方に対応可能であるという利点がある。
具体的に説明すると、遊技機島には、各台計数機を取り付けたものと、そうでないものがある。各台計数機が取り付けられている場合には、一般的に、遊技者の遊技媒体の保有数を記録した記録媒体（ＩＣカード等）を発行している。そして、遊技者が賞球を獲得した場合、実際の遊技球を払い出す替わりに、獲得した遊技球の情報を記録媒体に記録させている。つまり、島外に多くの遊技球を排出しないため、遊技機島の内部に保有する遊技球の数を少なくすることができる。
【００２５】
すなわち、収容空間の容積を可変可能な構造とすると、各台計数機を設けた場合には収容空間の容積を小さくし、各台計数機を設けない場合には収容空間の容積を大きくすることができる。これにより、いずれの場合にも、遊技機島内での適量の遊技球の保有が可能となる。このため、必要以上に遊技球を貯留することで生じる問題、例えば、遊技球の重量による圧力が必要以上に加わってしまうことにより、遊技機島の劣化を早めてしまうといった問題の発生を防止できる。
【００２６】
請求項７に記載の発明は、遊技球を搬送するための搬送用設備を備えており、前記搬送用設備は、前記収容空間よりも前記遊技球の流れ方向における下流側に位置しており、取付位置を高さ方向に可変可能となっていることを特徴とする請求項１乃至６のいずれかに記載の遊技機島である。
【００２７】
かかる構成では、搬送用設備の取付位置を高さ方向に可変可能となっている。このため、搬送用設備のうちで遊技球が流れ込む流入口となる部分もまた、高さ方向に可変可能となっている。そして、搬送用設備の流入口の位置を可変させることで、上流の収容空間側から搬送用設備に流れ込む遊技球の流速を調節できる。
【００２８】
例を挙げて具体的に説明すると、収容空間の排出口が搬送用設備の流入口に対して非常に高位置にある場合、排出口と流入口の高低差があまりない場合に比べ、収容空間から搬送用設備側に向かって流れる遊技球の流速が非常に速くなる。また、反対に、搬送用設備の流入口が収容空間の排出口に対して高位置にある場合、遊技球が流れ難くなってしまう。すなわち、上記構成では、収容空間の底板部の位置が高さ方向に可変し、収容空間の排出口の位置が変化したとしても、収容空間の排出口と搬送用設備の流入口の相対的な位置を調整できる。このことにより、搬送用設備に向かって流れる遊技球の速さを適切な状態にすることが可能となる。
【００２９】
請求項８に記載の発明は、遊技球を搬送するための搬送用設備と、前記遊技球を搬送するための搬送路を備えており、前記搬送路は、前記遊技球の流れ方向における上流側に位置する部分が前記搬送用設備と連結しており、取付角度及び／又は搬送長さを可変可能であることを特徴とする請求項１乃至７のいずれかに記載の遊技機島である。
【００３０】
かかる構成では、搬送用設備の搬送路の取付角度及び／又は搬送長さを可変可能とすることにより、搬送用設備の下流側を流れる遊技球の速さや量を適切な状態にすることが可能となる。すなわち、搬送用設備の設置位置が高さ方向に変化した場合であっても、搬送用設備から排出され、搬送用設備の下流側を流れる遊技球の速さや量を適切な状態にできる。
【発明の効果】
【００３１】
本発明の遊技機島によると、遊技機島の周辺により広い空間を確保することが可能となり、遊技者に楽な姿勢で遊技するための広い専有スペースを提供することができる。
【図面の簡単な説明】
【００３２】
【図１】本発明の第１実施形態に係る遊技機島を示す斜視図である。
【図２】図１の遊技機島の内部構造を示す説明図である。
【図３】図１の遊技機島の一部を破断、透過して示す説明図である。
【図４】図３の貯留部を示す斜視図である。
【図５】図４の貯留部を示すＡ−Ａ断面図である。
【図６】図１の遊技機島を示すＢ−Ｂ断面図である。
【図７】本発明の第２実施形態に係る遊技機島を示す一部破断斜視図である。
【図８】図７の遊技機島の腰板部の構造を示す説明図である。
【図９】図８で示される腰板部を別の方向からみた様子を示す説明図である。
【図１０】図７の遊技機島の内部構造を示す説明図であり、アウトレール部を取り付けていない状態を示す。
【図１１】図７の遊技機島の内部に取り付けられるアウトレール部を示す一部破断斜視図である。
【図１２】図１１のレール脚部を示す斜視図である。
【図１３】図７の遊技機島の内部に取り付けられる底板形成部を示す斜視図である。
【図１４】図７の遊技機島の組み立て手順を示す説明図であり、支柱部材に膳板と下側受板を取り付けた状態を示す。
【図１５】図１４の膳板と下側受板の間に支柱部を取り付けた状態を示す説明図である。
【図１６】内壁形成板に角柱部材を取り付ける様子を示す説明図である。
【図１７】図１５で示される腰板用骨組体に対して内壁形成板が取り付けられると共に、内壁形成板と底板形成部とが一体に固定される様子を示す説明図である。
【図１８】遊技機島の組み立てにおいて、腰板用骨組体、内壁形成板、角柱部材、底板形成部が一体に取り付けられた状態を示す断面図である。
【図１９】図１８で示される状態からアウトレール部が取り付けた状態を示す斜視図であり、腰板部の一部分を破断して示す。
【図２０】図１８で示される状態からアウトレール部が取り付けた状態を示す断面図である。
【図２１】図７の遊技機島において、貯留部の最大貯留量を可変させる様子を模式的に示す説明図であり、（ａ）は最大貯留量を多くした状態を示し、（ｂ）は最大貯留量を少なくした状態を示す。
【図２２】図１２とは異なるレール脚部を示す断面図である。
【図２３】本発明の第３実施形態に係る遊技機島を示す一部破断斜視図である。
【図２４】図２３の遊技機島の組み立てにおいて、腰板用骨組体に対して内壁形成板が取り付けられると共に、内壁形成板と底板形成部とが一体に固定される様子を示す説明図である。
【図２５】図２４の内壁形成板を示す側面図である。
【図２６】図２４の内壁形成板と底板形成部を一体に固定する様子を示す説明図であり、（ａ）は高位置に形成された底板取付用溝に底板形成部を嵌合させる様子を示し、（ｂ）は低位置に形成された底板取付用溝に底板形成部を嵌合させる様子を示す。
【図２７】図２４の遊技機島における貯留部を示す断面図であり、（ａ）は貯留部の最大貯留量を多くした状態を示し、（ｂ）は貯留部の最大貯留量を少なくした状態を示す。
【図２８】図２３の遊技機島の内部空間のうち、中間搬送装置が配置される部分を手前側の壁面形成板を省略して示す一部破断斜視図であり、（ａ）は中間搬送装置を低位置に配した状態を示し、（ｂ）は中間搬送装置を高位置に配した状態を示す。
【図２９】図２３の遊技機島の内部構造を示す説明図であり、（ａ）は貯留部の最大貯留量を多くした状態を示し、（ｂ）は貯留部の最大貯留量を少なくした状態を示す。
【図３０】第１実施形態乃至第３実施形態とは異なる遊技機島の内部構造を示す説明図である。
【発明を実施するための形態】
【００３３】
以下に、本発明のそれぞれの実施形態に係る遊技機島１について詳細に説明するが、本発明はこれらの例に限定されるものではない。また、以下の説明において、上下左右の位置関係については特に断りのない限り通常の設置状態を基準として説明する。
【００３４】
第１実施形態の遊技機島１は、図１で示されるように、支柱や梁といった骨格部材（図示せず）に対し、天板１０、妻板１１、幕板１２、ランプ板１３、台間板１４、膳板１５、腰板１６（板状部材，側壁部）、幅木１７等の外壁面を形成する板状部材を組み付けて形成されている。そして、その全体の外形が略直方体状となっている。
【００３５】
この遊技機島１の長寸の側面には、ぱちんこ機２０（遊技機）や球貸機２１を配するための遊技機取付部２２が設けられている。この遊技機取付部２２は、遊技機島１の高さ方向の略中央となる位置に形成される空間であり、遊技機島１の内外を連通している。この遊技機取付部２２には、ぱちんこ機２０と球貸機２１からなる組を遊技機島１の長手方向に沿うように並列配置している。つまり、ぱちんこ機２０と、これに対として設けられる球貸機２１を１組の機器群とすると、この機器群が遊技機島１の長手方向で並列するように取付けられている。
【００３６】
天板１０は、遊技機島１の天井壁を形成する部材である。
【００３７】
妻板１１は、遊技機島１の側壁のうち、遊技機島１の長手方向の両端部にそれぞれ位置する短寸の側壁（以下、短側壁とも称す）を形成する部材である。このため、妻板１１は、その厚さ方向が遊技機島１の長手方向と同一となっている。
【００３８】
幕板１２は、遊技機島１の側壁のうち、遊技機島１の短手方向の両端部にそれぞれ位置する長寸の側壁（以下、長側壁とも称す）の一部を形成する部材である。この幕板１２は、天板１０の縁部分と連続しており、遊技機取付部２２の上側部分に位置している。すなわち、幕板１２は、遊技機取付部２２が設けられる長側壁の上端近傍を形成する部材である。
【００３９】
ランプ板１３は、上端からやや下方側に離れた部分を覆う略長方形平板状の部材であり、遊技機島１の長側壁の一部を形成している。ここで、ランプ板１３の上端部分は、幕板１２の下端部分と連続した状態となっている。つまり、ランプ板１３は、長側壁のうち、幕板１２の下方に位置する部分を形成している。
このランプ板１３には、遊技情報表示装置２５を取り付けるためのランプ取付部２６が設けられている。このランプ取付部２６は、複数設けられており、ランプ板１３の長手方向に沿って間隔を空けて並列した状態となっている。
【００４０】
遊技情報表示装置２５は、一般的に「データランプ」や「コールランプ」、「呼出ランプ」等と称される装置であり、下方に位置するぱちんこ機２０と対となっている。そして、遊技情報表示装置２５は、この対となるぱちんこ機２０の稼働状況に係る情報を表示可能な装置となっている。
加えて、遊技情報表示装置２５には、遊技客が遊技場従業員を呼び出す際に押下する呼び出しボタンが一体に形成されている。そして、呼び出しボタンが押下されると、遊技情報表示装置２５のランプ部（図示しない）が点灯、点滅を実施すると共に、妻板１１に取り付けられたランプ装置（図示しない）が点灯、点滅する構造となっている。
【００４１】
台間板１４は、ぱちんこ機２０や球貸機２１と水平方向（遊技機島１の長手方向）で隣接する部分に配され、この部分を覆うことにより、遊技機島１の長側壁の一部を形成する部材である。つまり、台間板１４は、遊技機島１の高さ方向の略中央となる位置において、ぱちんこ機２０又は球貸機２１が配置されていない部分を覆っている。
【００４２】
膳板１５は、平面視した形状が略四角形状となる平板状の部材であり、遊技機取付部２２の下方部分から外側へ張り出した状態となっている。より詳細には、膳板１５は、遊技客の着座側（図１において椅子のある側）へ突出しつつ、遊技機島１の長手方向に沿って延設されるものであり、遊技機島１の長手方向の一端部から他端部まで延びている。この膳板１５は、大別して遊技機島１の内部側に位置する部分と、遊技機島１の外部に露出した部分とに区分されるものである。そして、内部側に位置する部分は、ぱちんこ機２０を載置するための土台として機能し、外部側に位置する部分は、遊技球（遊技媒体）を収容する収容箱（図示せず）等を載置するための載置棚として機能する。
【００４３】
腰板１６は、ぱちんこ機２０の設置位置よりも低い部分を覆う部材であり、遊技機島１の長側壁の一部を形成している。より詳細には、この腰板１６は、膳板１５よりも下方であり、幅木１７よりも上側の部分に位置しており、長側壁の下方側部分の大半を形成している。
なお、この腰板１６の一部は、詳しくは後述する貯留部３７の側壁として機能する部分となっている。
【００４４】
幅木１７は、腰板１６のより低い位置の側壁を形成する長尺板状の部材である。すなわち、幅木１７は、遊技機島１の長側壁のうちで、下端近傍を形成する部材である。この幅木１７は、壁材を保護するための部材であり、遊技機島１の床に接する部分に設けることで、壁材に遊技客の靴等が直接接触し難い構造としている。このことにより、靴先等の接触に起因する壁材の破損を防止している。
【００４５】
続いて、遊技機島１の内部構造について説明する。
【００４６】
遊技機島１の内部には、図２で示されるように、島上タンク３２、補給レール３３、オーバーフローレール３４、球抜きホース３５、オーバーフローホース３６、貯留部３７、アウトレール３８、研磨装置３９（搬送用設備）、揚送装置４０がそれぞれ設けられている。
【００４７】
このうち、島上タンク３２と貯留部３７は、遊技機島１の内部で循環する遊技球を一時的に貯留可能となっている。また、補給レール３３、オーバーフローレール３４、球抜きホース３５、オーバーフローホース３６、アウトレール３８はそれぞれ所定の方向へ向かって遊技球を搬送するための搬送経路を形成している。
【００４８】
島上タンク３２は、遊技機島１の長手方向の中心近傍であって、ぱちんこ機２０よりも上側に取り付けられた部材であり、揚送装置４０から揚送された遊技球を一時的に貯留する貯留手段として機能する。
この島上タンク３２は、内部に貯留した遊技球を必要に応じてぱちんこ機２０に送り出す機能や、内部に一定以上の遊技球が流入した場合に遊技球を外部へ排出する機能を備えている。なお、貯留した遊技球をぱちんこ機２０に送り出す際には、補給レール３３介してぱちんこ機２０に遊技球を供給している。そして、内部の遊技球が一定量以上となった場合には、主にオーバーフローレール３４を介して遊技球を外部へ排出している。
【００４９】
補給レール３３は、各ぱちんこ機２０に向かって遊技球を搬送する経路を形成するための部材であり、島上タンク３２が位置する部分から遊技機島１の長手方向の端部に向かって下り勾配となるように設けられている。より詳細には、本実施形態の遊技機島１には２つの補給レール３３が設けられており、一方が遊技機島１の長手方向における一方端側へ向かって延びており、他方が遊技機島１の長手方向における他方端側へ向かって延びている。
【００５０】
また、この補給レール３３には、延び方向の中途部分に補給シュート（図示しない）が設けられている。この補給シュートは、補給レール３３から枝分かれして延びる径路、すなわち、それぞれのぱちんこ機２０や球貸機２１（図１参照）に遊技球を供給するための経路を形成する部材である。
【００５１】
オーバーフローレール３４は、補給レール３３よりもやや下方側に設けられており、補給レール３３と同様に、島上タンク３２が位置する部分から遊技機島１の長手方向の端部に向かって下り勾配となっている。このオーバーフローレール３４は、島上タンク３２の内部で一定量以上となった遊技球や、補給レール３３から溢れた遊技球を搬送する経路を形成するための部材である。
【００５２】
このように、補給レール３３とオーバーフローレール３４は、ぱちんこ機２０よりも上方で遊技球を水平方向（横方向）に搬送するための経路を形成している。
【００５３】
球抜きホース３５は、遊技機島１の長手方向の端部よりの位置に配されており、遊技球を下方へ向かって搬送するための経路を形成している。より具体的には、補給レール３３の下流端近傍に連結されると共に、補給レール３３から垂下された状態となっており、高さ方向（上下方向）に延びる経路を形成している。
なお、この球抜きホース３５によって形成される径路は、補給レール３３上に滞留した球を強制的に排出するための径路であり、通常、この球抜きホース３５の内部を遊技球が流れることはない。
【００５４】
オーバーフローホース３６もまた、遊技機島１の長手方向の端部よりの位置に配されており、遊技球を下方へ向かって搬送するための流通路を形成している。このオーバーフローホース３６は、オーバーフローレール３４の下流端近傍に連結され、オーバーフローレール３４から垂下された状態となっており、高さ方向（上下方向）に延びる流通路を形成している。
【００５５】
研磨装置３９は、公知のそれと同様のものであり、遊技球を研磨し、付着した汚れを除去する装置である。この研磨装置３９は、遊技機島１の長手方向の略中央となる部分の下部に配されており、研磨した遊技球を近接する揚送装置４０に搬送する機能を有している。
【００５６】
揚送装置４０は、公知のそれと同様のものであり、遊技球を上方へ向けて揚送するための装置である。
【００５７】
これらの構成を備えることにより、遊技機島１では、ぱちんこ機２０への遊技球の供給と、ぱちんこ機２０からの遊技球の回収が可能となっている。
すなわち、島上タンク３２に貯留された遊技球を補給レール３３を介してそれぞれのぱちんこ機２０や球貸機２１へ供給することが可能となっている。また、ぱちんこ機２０から排出された遊技球をアウトレール３８を介して研磨装置３９に導入することが可能となっている。そして、研磨装置３９で研磨された遊技球は、揚送装置４０によって上側へ搬送され、島上タンク３２へと導入されることとなる。すなわち、遊技機島１の内部には、ぱちんこ機２０を経て遊技球が循環するための循環経路が形成されている。
【００５８】
また、その一方、島上タンク３２の貯留量が一定以上となった場合、過剰分の遊技球がオーバーフローレール３４、オーバーフローホース３６を介して貯留部３７の内部に導入される構造となっている。また、ぱちんこ機２０から排出された遊技球もまた、必要に応じて貯留部３７の内部に導入される構造となっている。
つまり、遊技機島１では、遊技球を一時的に貯留可能な貯留部３７を設けることにより、上記した循環経路を流れる遊技球の量を調整可能となっている。
【００５９】
本実施形態の特徴的な部分であるところの貯留部３７につき、以下で詳細に説明する。
【００６０】
遊技機島１の内部では、図３で示されるように、上方が開放された箱状の貯留部３７が形成されている。そして、この貯留部３７では、側壁部分の一部が腰板１６によって形成されている。
【００６１】
より具体的には、貯留部３７は、図４で示されるように、２つの腰板１６と２つの側壁形成板４５（側壁部）によって側壁部分が形成され、底板４６（底板部）によって底面が形成される箱体となっている。
【００６２】
２つの側壁形成板４５は、いずれも直立した略長方形平板状の部材であり、間隔を空けて対向するように配置されている。ここで、２つの側壁形成板４５は、いずれも２つの腰板１６の間に位置し、これらを連結するように設けられている。つまり、一方の側壁形成板４５が２つの腰板１６を連結するように配されると共に、他方の側壁形成板４５は、この一方の側壁形成板４５から離れた位置で２つの腰板１６を連結するように配されている。言い換えると、２つの側壁形成板４５は、いずれも２つの腰板１６のそれぞれと略直交するように配されている。
【００６３】
つまり、２つの腰板１６が遊技機島１の短手方向で間隔を空けて対向しているのに対し、２つの側壁形成板４５は、遊技機島１の長手方向で間隔を空けて対向している。そして、１つの腰板１６が２つの側壁形成板４５のそれぞれと略直交しており、１つの側壁形成板４５が２つの腰板１６のそれぞれ略直交している。つまり、２つの腰板１６と２つの側壁形成板４５からなる４つの板状部材は、四角環状に連続している。
【００６４】
また、貯留部３７では、２つの腰板１６と２つの側壁形成板４５によって形成される四角環状の部分の下端側が、底板４６によって閉塞されている。
【００６５】
底板４６は、略長方形平板状の部材であり、図５で示されるように、脚部４８によって床面から離れた位置に支持されると共に、傾斜した姿勢となっている。
【００６６】
このとき、図４、図５で示されるように、２つの側壁形成板４５のうちの一方側には、側壁形成板４５を厚さ方向に貫通する貫通孔４９が設けられると共に、アウトレール３８が取り付けられている。より具体的に説明すると、２つの側壁形成板４５は、図３で示されるように、一方が遊技機島１の長手方向を基準として端部よりの位置に配され、他方が中心よりの位置に配されている。そして、遊技機島１の長手方向の中心よりに配された側壁形成板４５に対し、アウトレール３８が取り付けられている。
【００６７】
このとき、底板４６は、図５で示されるように、アウトレール３８が取り付けられた側壁形成板４５に向かうにつれて低くなっていくように、傾斜した姿勢となっている。言い換えると、遊技機島１の長手方向の中心よりに配された側壁形成板４５へ向かうにつれて高さが低くなるように、傾斜している。
なお、本実施形態では、アウトレール３８は、側壁形成板４５の下端近傍であって、底板４６と近接する位置に取り付けられている。
【００６８】
そして、貯留部３７では、図４で示されるように、２つの腰板１６と２つの側壁形成板４５によって囲繞された部分が、遊技球を貯留するための収容空間５０となる。
【００６９】
つまり、本実施形態の遊技機島１は、図６で示されるように、間隔を空けて対向するように配置される２つの腰板１６の間に、遊技球を直接貯留することが可能な構成となっている。このことにより、２つの腰板１６の間に別途製造した島中タンクを配置するような構成に比べ、２つの腰板１６の間隔Ｌを短くすることができる。すなわち、椅子と腰板１６の間に形成される空間５３を広くすることが可能となり、遊技者は、足を伸ばした楽な姿勢で遊技することが可能となる。
【００７０】
上記した実施形態では、遊技機島１の外壁面を形成する板状部材のうち、２つの腰板１６が貯留部３７の側壁部となる例を示した。しかしながら、本発明はこれに限るものではない。
例えば、２つの腰板１６と妻板１１が貯留部の側壁部となる構成であってもよい。この場合、２つの腰板１６と、妻板１１と、１つの側壁形成板４５を四角環状に連続させ、これらに囲繞される部分を収容空間としてもよい。
つまり、遊技機島の外壁面を形成する板状部材のうちで貯留部の側壁部を兼ねる部材は、腰板１６に限らず、他の板状部材であってもかまわない。加えて、貯留部３７の側壁部を兼ねる板状部材は、２つに限らず、３つであってもよい。１以上の板状部材が貯留部の側壁部を兼ねる構成であればよい。
【００７１】
上記した実施形態では、弾球遊技機であるぱちんこ機２０を設置するための遊技機島１の例を示したが、本発明はこれに限るものではない。例えば、本発明の遊技機島は、回胴式遊技機（スロット機）を設置するためのものでもよい。すなわち、遊技媒体もまた、遊技球に限らず、メダル等であってもよい。遊技機島の外壁面を形成する部分が、遊技媒体を貯留する貯留部の側壁部を兼ねる構成であればよい。
【００７２】
また、上記した実施形態では、２つの腰板１６の間に遊技球を直接貯留したが、腰板１６や側壁形成板４５の内側に薄いシート状の部材を配置してもよい。このことにより、遊技球が収容空間５０の内壁に衝突したときに生じる衝突音を抑制したり、遊技球の収容空間５０からの漏れ出しをより確実に防止したりすることが可能となる。
【００７３】
続いて、本発明の第２実施形態の遊技機島１０１について、図面を参照しつつ詳細に説明する。なお、上記した第１実施形態と同様の部分については、同じ符号を付して説明を省略する。
【００７４】
図７で示される本実施形態の遊技機島１０１もまた、支柱部材１０３（骨格部材、図７では図示せず）に対して、各種板状部材を組み付けて形成している。この遊技機島１０１は、膳板１５より下方部分の構造が第１実施形態の遊技機島１と異なっている。
【００７５】
本実施形態の遊技機島１０１は、膳板１５の下方に位置する部分の壁面を形成する腰板部１０６と、腰板部１０６に一体に固定されるアウトレール部１０７と、底板形成部１０８とを備えた構造となっている。
そして、遊技機島１０１の内部空間のうち、腰板部１０６と底板形成部１０８によって囲まれた部分が遊技球を貯留可能な収容空間１１０となっている。つまり、遊技機島１０１では、妻板１１（図７では図示せず）、腰板部１０６、研磨装置３９又は中間搬送装置１５５（搬送用設備、図７では図示せず）、底板形成部１０８によって形成される箱状の部分が貯留部１１１となっている。
【００７６】
腰板部１０６は、図８で示されるように、膳板１５と下側受板１１３の間に組み付けられた支柱部１１５と、内壁形成板１１６（板状部材、側壁部）と、化粧板１１７とを備えた構成となっている。
【００７７】
支柱部１１５は、角柱状の部材あって、上下方向で間隔を空けて対向配置される膳板１５と下側受板１１３の間に設けられ、これらと一体に固定されている。すなわち、支柱部１１５の上面は膳板１５の下面と面接触し、支柱部１１５の下面は下側受板１１３の上面と面接触した状態で固定されている。
【００７８】
内壁形成板１１６は、膳板１５、下側受板１１３、支柱部１１５によって形成される構造体に対して内側（図８では左側）から取り付けられた略長方形平板状の部材であり、腰板部１０６の内側面を形成する部材である。すなわち、内壁形成板１１６の内側面は、図７で示されるように、遊技機島１０１の内部空間に面しており、貯留部１１１の側壁部分を形成している。
【００７９】
この内壁形成板１１６の内側面には、図９で示されるように、上下方向で離れた位置に突起取付用溝１２０と、底板取付用溝１２１が設けられている。
この突起取付用溝１２０と底板取付用溝１２１は、外側面に向かって窪んだ溝であり、遊技機島１０１の長手方向に沿って延びている（図７参照）。
【００８０】
そして、突起取付用溝１２０と底板取付用溝１２１は、長手方向の一端側が他端側が比べて高位置となっている。すなわち、突起取付用溝１２０と底板取付用溝１２１は、図１０で示されるように、斜め方向に延びる溝となっている。
【００８１】
より詳細に説明すると、突起取付用溝１２０と底板取付用溝１２１は、遊技機島１０１の長手方向における端部側から中心側へ向かって下り勾配となるように延びている。換言すると、突起取付用溝１２０と底板取付用溝１２１は、研磨装置３９に向かって下り勾配となるように延びている。
【００８２】
なお、詳しくは後述するが、突起取付用溝１２０は、角柱部材１２３を嵌め込むための溝であり、底板取付用溝１２１は、底板形成部１０８を嵌め込むための溝となっている。
【００８３】
化粧板１１７は、図８で示されるように、膳板１５、下側受板１１３、支柱部１１５によって形成される構造体に対して外側（図８では右側）から取り付けられた略長方形平板状の部材である。すなわち、化粧板１１７は、腰板部１０６並びに遊技機島１０１の外側面を形成する部材である。
【００８４】
アウトレール部１０７は、図１１で示されるように、レール本体部１２５と、レール脚部１２６とを備えた部材である。このアウトレール部１０７は、ぱちんこ機２０から排出される遊技球（所謂アウト球）を搬送するための流通路を形成する部材となっている。
【００８５】
レール本体部１２５は、断面形状が略「凹」字状で延びる流路部１２８と、この流路部１２８の上側開放部分を閉塞する蓋部１２９とを有している。
【００８６】
流路部１２８は、幅方向の両端部分にそれぞれ立設された２つの流路側壁部１３１と、この１対の流路側壁部１３１の下側部分同士を繋ぐように設けられた流路底部１３２とが一体に形成されている。流路底部１３２の上面には、複数の溝部１３３が設けられており、この複数の溝部１３３は、流路部１２８の幅方向で所定間隔を空けて並列している。また、いずれの溝部１３３も流路部１２８の長手方向に沿って延びている。
【００８７】
この流路部１２８は、流路底部１３２の上面に流れ込んだ遊技球が、溝部１３３に嵌り込んだ状態で流れていく構造となっている。言い換えると、それぞれの溝部１３３が遊技球を誘導可能な誘導路として機能する構造となっている。
【００８８】
より具体的に説明すると、それぞれの溝部１３３は、断面形状が上下逆とした略台形状となっており、幅方向の最大長さが遊技球の直径と略同一となっている。このことから、それぞれの溝部１３３に遊技球が嵌り込んでいくとき、遊技球が１つの溝部１３３の内側で横並びになることなく、１つずつ順次流れていく構造となっている。このことにより、遊技球が詰まったりすることなく円滑に流れていくこととなる。
【００８９】
蓋部１２９は、流路底部１３２の上方に位置し、流路底部１３２を覆うように固定される部材である。この蓋部１２９には、蓋部１２９を厚さ方向（上下方向）に貫通する遊技球通過孔１３４が複数設けられている。
【００９０】
遊技球通過孔１３４は、蓋部１２９の上側から落下してきた遊技球を流路底部１３２の上面へ導入するための通路となる部分であり、開口径が遊技球の直径よりもやや大きくなっている。
【００９１】
レール脚部１２６は、図１２で示されるように、横倒しした四角柱状の脚部本体１３８と、脚部本体１３８の長手方向の両端部分にそれぞれ形成された取付板部１３９とが一体に形成されている。
【００９２】
取付板部１３９は、直立姿勢をとる板状体であり、詳細には、上側の角部分が丸まった略長方平板状の部分となっている。すなわち、取付板部１３９の上端側の部分は、上方に丸みを帯びて凸となっている。
ここで、取付板部１３９の厚さ方向は、脚部本体１３８の長手方向と同方向となっている。そして、取付板部１３９の内側面における下端側の一部が、脚部本体１３８の端部と一体に連結された状態となっている。このため、取付板部１３９の大部分は、脚部本体１３８の上面より上側に位置している。言い換えると、取付板部１３９の高さは、脚部本体１３８の高さの２倍以上となっている。
【００９３】
底板形成部１０８は、図１３で示されるように、底板本体１４３（底板部）と底板脚部１４４とを有しており、これらが一体となって形成されている。
【００９４】
底板本体１４３は、略長方形平板状の部材であり、長手方向の一方端が他方端に比べて高位置となっている。すなわち、底板本体１４３の上面は傾斜面となっている。より詳細には、図１０で示されるように、底板形成部１０８の上面は、遊技機島１０１の長手方向における端部側から中心側へ向かって下り勾配となっている。換言すると、底板形成部１０８の上面は、研磨装置３９に向かって下り勾配となっている。
【００９５】
底板脚部１４４は、底板本体１４３の下面から下方に突出した接地用の突起部であり、底板本体１４３を下方側から支持している。換言すると、底板脚部１４４は、底板本体１４３を床面から離れた位置に支持している。
本実施形態では、底板本体１４３の裏面に２つの底板脚部１４４が取り付けられており、底板本体１４３の長手方向で所定間隔を空けて並列している。そして、一方の底板脚部１４４ａの高さが他方の底板脚部１４４ｂの高さよりも高くなっている。言い換えると、高さの異なる複数の底板脚部１４４が底板本体１４３の長手方向で所定間隔を空けて並列しており、列を構成するそれぞれの底板脚部１４４の高さが、列方向の一方側から他方側に向かうにつれて低くなる。つまり、底板脚部１４４は、高さを基準として降順に並んでいるといえる。
【００９６】
続いて、本実施形態の遊技機島１０１の組み立て構造について詳細に説明する。
【００９７】
遊技場等の遊技機島１０１の設置場所で、図１４で示されるように、床面に鉄製の支柱部材１０３を固定する。そして、支柱部材１０３に対し、膳板１５と、下側受板１１３を取り付ける。
【００９８】
ここで、支柱部材１０３は、上下方向に屈曲しつつ延びる角管状部材１４７を２つ備えており、これらが水平方向に所定間隔を空けて並列配置された構造となっている。さらに、２つの角管状部材１４７の間に、これらを連結するための支柱連結部材１４８が配されている。つまり、支柱部材１０３は、２つの角管状部材１４７が、支柱連結部材１４８によって連結されて形成される構造体となっている。
【００９９】
支柱部材１０３は、角管状部材１４７が外側に向かって延び、且つ、その延び方向の外端で下方に向かって屈曲し、さらに下方に延びることで形成される支柱台座部１５０を備えた構造となっている。
【０１００】
つまり、支柱台座部１５０では、角管状部材１４７を水平方向に沿って延設し、この水平方向に延びた部分の上面を載置面として機能させている。言い換えると、支柱部材１０３は、角管状部材１４７の水平方向に沿って延びた部分を、載置物を載置させるための台座として機能させている。
【０１０１】
また、支柱部材１０３には、支柱台座部１５０の下方側に位置する部分に、下側受板１１３を下方側から支持するための取付金具（図示しない）を一体に取り付けている。そして、この取付金具（図示しない）に下側受板１１３を載置し、これらを一体に固定している。一方、この取付金具（図示しない）の上方に位置する支柱台座部１５０には、膳板１５を載置し、これら支柱台座部１５０と膳板１５を一体に固定している。
【０１０２】
このとき、支柱台座部１５０の上側には、膳板１５の下面のうち、内側よりの部分が位置している。言い換えると、膳板１５は、内側よりの部分だけが支柱台座部１５０と重なっており、外側よりの部分は支柱台座部１５０と重なっていない。
また、同様に、取付金具（図示しない）の上側には、下側受板１１３の下面のうち、内側よりの部分が位置している。すなわち、下側受板１１３もまた、内側よりの部分だけが取付金具（図示しない）と重なっている。
【０１０３】
そして、これら膳板１５と下側受板１１３とは、上下方向で離間対向した状態となっている。
【０１０４】
続いて、図１５で示されるように、膳板１５と下側受板１１３の間に支柱部１１５を取り付ける。
支柱部１１５は、膳板１５と下側受板１１３の間に位置し、これらを連結している。膳板１５と下側受板１１３の間には、複数の支柱部１１５が取り付けられており、これらは、遊技機島１０１の長手方向、すなわち、膳板１５や下側受板１１３の長手方向で、所定間隔を空けて並列した状態となっている。
【０１０５】
一方、図１６で示されるように、内壁形成板１１６の突起取付用溝１２０に対し、角柱部材１２３を嵌め込み、これらを一体に固定する。このことにより、内壁形成板１１６の内側面に、内側へ向かって凸となる突条部分が形成される。当然のことながら、この突状部分は、突起取付用溝１２０に沿って斜め方向に延びる突条部分となる。
【０１０６】
そして、図１７で示されるように、内壁形成板１１６を膳板１５、下側受板１１３、支柱部１１５によって形成される構造体（以下、腰板用骨組体１５３と称す）に内側から取り付ける。より詳細には、水平方向で所定間隔を空けて対向配置される腰板用骨組体１５３（図１４参照）のそれぞれに対し、内側から内壁形成板１１６を取り付ける。したがって、内壁形成板１１６もまた、水平方向で所定間隔を空けて対向配置される。
【０１０７】
このとき、内壁形成板１１６に形成された底板取付用溝１２１に対し、底板形成部１０８の一部である底板本体１４３の端部を嵌入させ、底板取付用溝１２１と底板本体１４３における短手方向の端部周辺部分とを一体に固定する。
すなわち、底板本体１４３の短手方向の両端部のうちの一方を、対向配置された内壁形成板１１６のうちの一方と嵌合させ、底板本体１４３の短手方向の両端部のうちの他方を、対向配置された内壁形成板１１６のうちの他方と嵌合させる。そして、２つの内壁形成板１１６と底板本体１４３とを一体に固定する。
【０１０８】
このことにより、図１８で示されるように、腰板部１０６と底板形成部１０８によって囲まれた空間である収容空間１１０が形成される。
【０１０９】
このとき、２つの内壁形成板１１６にそれぞれ形成された突条部分（角柱部材１２３）は、同じ（又は同じ）高さに形成されており、互いに近づく方向へ突出している。
さらに具体的には、上記したように、内壁形成板１１６に形成された突条部分（角柱部材１２３）は、斜め方向に延びている（図１０参照）。そして、遊技機島１０１の短手方向で離間対向する２つの突条部分は、斜め方向に並列して延びた状態となっている。つまり、２つの突条部分は、水平方向で並列する上面同士が同一（又は略同一）の高さとなるように形成されている。
【０１１０】
また、図１９で示されるように、２つの突条部分（角柱部材１２３）の上面にアウトレール部１０７のレール脚部１２６を載置させた状態とする。さらに、レール脚部１２６の端部に位置する取付板部１３９の外側面と、内壁形成板１１６の内側面を接触させた状態とする。そして、ビス、ネジ、ボルト、釘等の接合具を介してレール脚部１２６を内壁形成板１１６に固定する。
【０１１１】
このことにより、図２０で示されるように、収容空間１１０の内部にアウトレール部１０７が配された状態となる。このアウトレール部１０７は、遊技機島１０１の長手方向に沿って延びている（図７参照）。
より詳細に説明すると、アウトレール部１０７を下方から支持する突条部分（角柱部材１２３）は、上記したように、その上面が床面に対して傾斜している。そのため、アウトレール部１０７の長手方向で所定間隔を空けて設けられるそれぞれのレール脚部１２６をこの突状部分に載置していくと、アウトレール部１０７もまた、傾斜した状態で固定される。つまり、このアウトレール部１０７は、研磨装置３９へ向かって下り勾配となるように取付けられている。
【０１１２】
さらに、図１９で示されるように、内壁形成板１１６の内側面のうち、角柱部材１２３やアウトレール部１０７の取付位置を除いた部分に、補強部材１５４を貼りつける。
補強部材１５４は、ゴム等の耐衝撃性に優れた原料を基に形成された薄板状の部材である。この補強部材１５４によって内壁形成板１１６の内側面を覆うことにより、遊技球等の衝突に対する強度を向上させることが可能となる。
【０１１３】
本実施形態の遊技機島１０１では、上記したように、レール脚部１２６の両端部が２つの内壁形成板１１６のそれぞれと接触している。つまり、図２０で示されるように、レール脚部１２６が収容空間１１０を横切って延び、対向配置された２つの内壁形成板１１６を連結している。このようにレール脚部１２６を固定することにより、貯留部１１１の強度向上を図ることができる。
【０１１４】
つまり、箱状の貯留部１１１において、レール脚部１２６が、あたかも対向側壁を連結する横架材のように取付けられている。このため、貯留部１１１の内部空間である収容空間１１０に遊技球が貯留されたとき、遊技球から受ける荷重によって内壁形成板１１６が撓んでしまうことをより確実に防止することが可能となる。
【０１１５】
上記したように、本実施形態の遊技機島１０１では、妻板１１、腰板部１０６、研磨装置３９又は中間搬送装置１５５、底板形成部１０８によって形成される箱状の部分を、遊技球を貯留するための貯留部１１１として機能させている（図２１参照）。このことから、本実施形態の遊技機島１０１では、貯留部１１１の最大貯留量を比較的容易に可変可能となっている。
【０１１６】
詳細に説明すると、例えば、図２１で示される貯留部１１１ａでは、中間搬送装置１５５を移動させることで最大貯留量の可変が可能となる。
すなわち、この貯留部１１１ａは、遊技機島１０１の長手方向の端部側に位置する側壁部分が妻板１１によって形成され、長手方向の中心側に位置する側壁部分が中間搬送装置１５５の壁面によって形成されている。
したがって、中間搬送装置１５５を遊技機島１０１の長手方向の中心よりに位置した状態（図２１（ａ）参照）から、遊技機島１０１の長手方向の中心よりに位置した状態（図２１（ｂ）参照）に移行させると、貯留部１１１ａの長手方向の長さＬが短くなる。このことにより、貯留部１１１ａの最大貯留量を減少させることが可能となる。
【０１１７】
つまり、本実施形態では、遊技機島１０１に直接遊技球を貯留させる構造とすることにより、貯留部１１１の壁面として機能する機器又は部材（中間搬送装置１５５や研磨装置３９）の位置を変更するだけで、最大貯留量の変更が可能となる。
したがって、従来の遊技機島のように、遊技機島に内蔵した島中タンクを容量の異なる島中タンクと交換するといった、煩雑な作業を必要としない。また、新たな島中タンク購入したりする必要がなく、最大貯留量の変更に伴う費用を削減することが可能となる。
【０１１８】
なお、中間搬送装置１５５について説明すると、中間搬送装置１５５は、貯留部１１１ａやアウトレール部１０７と研磨装置３９の間に位置し、貯留部１１１ａやアウトレール部１０７から流れ込んだ遊技球を研磨装置３９に搬送するための装置である。
本実施形態１０１では、流れ込んだ遊技球を高さ方向上側向かって搬送させた後、研磨装置３９に向かって搬送する中間搬送装置１５５を採用している。
【０１１９】
上記した実施形態では、研磨装置３９又は中間搬送装置１５５を貯留部１１１の側壁部分とした例を示したが、本発明において、遊技機島１０１に内蔵する貯留部１１１の側壁部分となる機器又は部材は、これに限るものではない。
例えば、揚送装置４０を貯留部の側壁部分としてもよい。さらには、研磨装置３９、揚送装置４０、中間搬送装置１５５とは別に直立した平板状の立板部材を設け、貯留部の長手方向端部に位置する側壁部分としてもよい。この場合もまた、上記の場合と同様に、貯留部の最大貯留量を比較的容易に可変可能となる。
【０１２０】
上記した実施形態では、研磨装置３９と揚送装置４０とを遊技機島１０１の長手方向における中央近傍に配した例を示したが、本発明はこれに限るものではない。
例えば、研磨装置３９と揚送装置４０を遊技機島１０１の長手方向における片側端部よりの位置に配してもよい。したがって、貯留部もまた、片側端部よりの位置に配された研磨装置３９や揚送装置４０と隣接する部分から、他方端部側まで延びるように形成してもよい。つまり、上記した実施形態のように、必ずしも２つの貯留部１１１を設ける必要はなく、遊技機島１０１の長手方向の略全域に亘って延びる貯留部を形成してもよい。
【０１２１】
上記した実施形態では、脚部本体１３８の長手方向両端にそれぞれ取付板部１３９を取り付けたレール脚部１２６（図１２参照）の例を示したが、本発明はこれに限るものではない。
例えば、図２２で示されるように、脚部本体２３８の長手方向における片側端部にのみ取付板部２３９を取り付けたレール脚部２２６を採用してもよい。すなわち、離間対向する内壁形成板１１６の一方と連結するレール脚部２２６と、内壁形成板１１６の他方と連結するレール脚部２２６とを別途形成してもよい。このとき、必ずしも２つのレール脚部２２６をレール本体部１２５の幅方向で並列させる必要はなく、２つのレール脚部２２６の取付位置は、レール本体部１２５の長手方向で異なる位置となっていてもよい。つまり、一方のレール脚部２２６が長手方向の一方端よりの位置（図２２の手前側）に固定され、他方のレール脚部２２６が長手方向の他方端よりの位置（図２２の奥側）に固定されていてもよい。
しかしながら、レール脚部１２６を横架材として機能させるという観点から、脚部本体１３８の長手方向両端にそれぞれ取付板部１３９を取り付けたレール脚部１２６（図１２参照）を採用することが望ましい。
【０１２２】
上記した実施形態では、中間搬送装置１５５を貯留部１１１の側壁部分とし、中間搬送装置１５５の設置位置を水平方向に移動させることで貯留部１１１の最大貯留量を変更する例を示した。また、別の実施形態として、中間搬送装置１５５とは別に立板部材を設け、立板部材を貯留部の側壁部分とし、立板部材を水平方向に移動させることで貯留部の最大貯留量を変更する例を示した。
しかしながら、最大貯留量を変更する構成は、このような構成に限るものではない。例えば、以下で説明する第３実施形態の遊技機島であってもよい。
【０１２３】
本発明の第３実施形態の遊技機島２０１について、図面を参照しつつ詳細に説明する。なお、上記した各実施形態と同様の部分については、同じ符号を付して説明を省略する。
【０１２４】
本実施形態の遊技機島２０１は、図２３で示されるように、底板本体１４３を固定するための底板取付用溝２２１を複数備えた構成となっている。すなわち、腰板部２０６の構造が上記した第１実施形態の腰板部１０６とは異なる構造となっている。
【０１２５】
より詳細には、図２４で示されるように、腰板部２０６を内側面を形成する内壁形成板２１６（板状部材、側壁部）に２つの底板取付用溝２２１が形成されている。２つの底板取付用溝２２１は、いずれも外側面に向かって窪んでおり、遊技機島２０１の長手方向に沿って延びている。
【０１２６】
ここで、底板取付用溝２２１は、いずれも長手方向の一端部が他端部に比べて高位置となっている。より詳細には、２つの底板取付用溝２２１は、いずれも遊技機島２０１の長手方向における端部側から中心側に向かって下り勾配となるように延びている。言い換えると、２つの底板取付用溝２２１は斜め方向に延びる溝となっている。
なお、本実施形態においても、遊技機島２０１の長手方向における中心側に研磨装置３９が載置されている（図２４では図示せず、図２９参照）。つまり、底板取付用溝２２１は、研磨装置３９に向かって下り勾配となるように延びる溝となっている。
【０１２７】
この２つの底板取付用溝２２１は、突起取付用溝１２０及び角柱部材１２３の下方側に位置しており、それぞれ上下方向で離れた位置に設けられている。
言い換えると、２つの底板取付用溝２２１は、高さ方向で異なる位置にそれぞれ形成されており、所定の間隔を空けて並列した状態となっている。
【０１２８】
より具体的には、２つの底板取付用溝２２１が並行に延びた状態となっている。言い換えると、２つの底板取付用溝２２１は、いずれも床面に対して傾斜する方向に延びており、その傾斜角度が同一となっている。すなわち、図２５で示されるように、底板取付用溝２２１は、いずれも床面に対して所定角度Ｔだけ傾斜して延びる仮想線αに沿って延びる長溝となっている。
【０１２９】
続いて、本実施形態の遊技機島２０１の組み立て構造について説明する。
【０１３０】
本実施形態においても、上記した第２実施形態と同様に、床面に固定した支柱部材１０３に対して膳板１５及び下側受板１１３を固定し、膳板１５及び下側受板１１３の間に支柱部１１５を取り付ける（図１５参照）。さらに、図２４で示されるように、突起取付用溝１２０に角柱部材１２３を嵌め込み、一体に固定した状態とする。
【０１３１】
そして、上記した第２実施形態と同様に、膳板１５、下側受板１１３、支柱部１１５によって形成される腰板用骨組体１５２に対し、内壁形成板２１６を内側から取り付ける。すなわち、第２実施形態と同様に、水平方向（遊技機島２０１の短手方向）で所定間隔を空けて対向配置される腰板用骨組体１５２のそれぞれに対し、内側から腰板用骨組体１５２を固定する。したがって、内壁形成板２１６は、水平方向で間隔を空けて対向した状態となる。
【０１３２】
このとき、内壁形成板２１６の底板取付用溝２２１に対して、底板形成部１０８の底板本体１４３の端部を嵌入させ、内壁形成板２１６と底板形成部１０８とを一体に固定している。このとき、底板本体１４３は、短手方向における両端部及びその周辺部分が底板取付用溝２２１に嵌入された状態となる。
より詳細には、底板本体１４３の短手方向の両端部のうちの一方を、対向配置された内壁形成板２１６の内の一方と嵌合させ、底板本体１４３の短手方向の両端部のうちの他方を、対向配置された内壁形成板２１６の内の他方と嵌合させる。そして、２つの内壁形成板２１６と底板本体１４３とを一体に固定する。
【０１３３】
このとき、本実施形態では、２つの底板取付用溝２２１の中からいずれか１つの底板取付用溝２２１を選択し、底板本体１４３を嵌め込むことが可能となっている。つまり、本実施形態では、図２６で示されるように、高位置に形成された底板取付用溝２２１に対して底板本体１４３を嵌合させてもよく（図２６（ａ）参照）、低位置に形成された底板取付用溝２２１に対して底板本体１４３を嵌合させてもよい（図２６（ｂ）参照）。
【０１３４】
なお、２つの内壁形成板２１６のうちの一方で、高位置の底板取付用溝２２１に対して底板本体１４３を嵌合させた場合、もう一方の内壁形成板２１６においても、高位置の底板取付用溝２２１と底板本体１４３を嵌合させる。同様に、２つの内壁形成板２１６のうちの一方で、低位置の底板取付用溝２２１と底板本体１４３を嵌合させた場合、もう一方の内壁形成板２１６でも低位置の底板取付用溝２２１と底板本体１４３を嵌合させる。
【０１３５】
また、高位置の底板取付用溝２２１と嵌合させる場合には、底板脚部１４４が長い底板形成部１０８を、低位置の底板取付用溝２２１と嵌合させる場合には、底板脚部１４４が長い底板形成部１０８を採用している。つまり、選択した底板取付用溝２２１に応じて、底板形成部１０８の底板脚部１４４の長さを変更している。
【０１３６】
このように、本実施形態では、複数の中からいずれか１つの底板取付用溝２２１を選択し、選択した底板取付用溝２２１に底板本体１４３を嵌合させ、内壁形成板２１６と底板本体１４３を固定している。
そして、高位置に形成された底板取付用溝２２１に底板本体１４３を嵌合させる場合、低位置に形成された底板取付用溝２２１に底板本体１４３を嵌合させる場合と比べて、底板本体１４３の上面の高さが高くなる。すなわち、底板本体１４３と嵌合させる底板取付用溝２２１を変更することで、底板本体１４３の上面の高さを変更可能となっている。このことにより、収容空間２１０の容積を変更可能となっている。
【０１３７】
つまり、図２７で示されるように、底板本体１４３の上面の高さを高くすると、収容空間２１０の底面が高位置となる。このとき、収容空間２１０の幅や長さは変わらず、深さが浅くなるので、収容空間２１０の容積が小さくなる。対して、底板本体１４３の上面の高さを低くすると、収容空間２１０の底面が低位置となる。このとき、収容空間２１０の幅や長さは変わらず、深さが深くくなるので、収容空間２１０の容積が小さくなる。
【０１３８】
なお、本実施形態においても、上記した実施形態と同様に、角柱部材１２３の上面にレール脚部１２６を載置させた状態とし、これらを一体に固定している。このことにより、図２７で示されるように、収容空間２１０の内部にアウトレール部１０７が配された状態となる。
【０１３９】
また、本実施形態においても、遊技機島２０１の内部空間のうち、腰板部２０６と底板形成部１０８によって囲まれた部分が遊技球を貯留可能な収容空間２１０となっている。つまり、遊技機島２０１もまた、妻板１１、腰板部２０６、研磨装置３９又は中間搬送装置１５５、底板形成部２０８によって形成される箱状の部分が貯留部２１１となっている（図２３参照）。
【０１４０】
ところで、本実施形態の遊技機島２０１では、中間搬送装置１５５の設置位置もまた、高さ方向に可変可能となっている。
【０１４１】
具体的に説明すると、図２８で示されるように、中間搬送装置１５５の外側に位置する壁面形成板２５０に土台固定溝２５１を複数設けている。この土台固定溝２５１は、それぞれ上下方向で離れた位置に形成されており、いずれも外側面に向かって窪んだ溝となっている。
【０１４２】
ここで、それぞれの土台固定溝２５１は、長手方向における両端部の高さが略同一となっている。すなわち、土台固定溝２５１は、遊技機島２０１の長手方向に沿う方向であって、床面と平行に延びる溝となっている。そして、上下方向で離れた位置に形成されている２つの土台固定溝２５１は、同方向に延びている。つまり、２つの土台固定溝２５１は、上下方向で所定の間隔を空けて並列しており、互いに平行となるように延びた状態となっている。
【０１４３】
そして、２つの土台固定溝２５１の中からいずれか１つの土台固定溝２５１を選択し、中間搬送装置１５５を下方から支持するための搬送装置支持台２５２を嵌合させることが可能となっている。
【０１４４】
ここで、搬送装置支持台２５２について説明する。
搬送装置支持台２５２は、支持板２５４と脚部２５５とを有しており、これらが一体となって形成されている。
【０１４５】
支持板２５４は、略長方形平板状の部材であり、上面が床面と平行（又は略平行）な面となっている。すなわち、支持板２５４は、脚部２５５の上側に水平な姿勢を維持した状態で固定されている。
【０１４６】
脚部２５５は、支持板２５４の下面から下方に突出した接地用の突起部であり、支持板２５４を下方側から支持している。つまり、脚部２５５は、支持板２５４を床面から離れた位置に支持している。
【０１４７】
そして、搬送装置支持台２５２を土台固定溝２５１に嵌合させる際には、図２８で示されるように、搬送装置支持台２５２の縁部分であって、遊技機島２０１の短手方向（図２８のＸで示される方向）における両端に位置する部分が土台固定溝２５１に嵌り込んだ状態となっている。
【０１４８】
ここで、中間搬送装置１５５の設置位置では、２つの壁面形成板２５０が遊技機島２０１の短手方向（図２８のＸで示される方向）で所定間隔を空けて対向した状態となっている（手前側の壁面形成板２５０については図示を省略している）。
【０１４９】
そして、２つの壁面形成板２５０のうちの一方で、高位置の土台固定溝２５１に対して支持板２５４を嵌合させた場合には、もう一方の壁面形成板２５０においても、高位置の土台固定溝２５１と支持板２５４を嵌合させている。
同様に、２つの壁面形成板２５０のうちの一方で、低位置の土台固定溝２５１と支持板２５４を嵌合させた場合には、もう一方の壁面形成板２５０でも低位置の土台固定溝２５１と支持板２５４を嵌合させている。
【０１５０】
なお、高位置の土台固定溝２５１と嵌合させる場合には、脚部２５５が長い搬送装置支持台２５２を、低位置の土台固定溝２５１と嵌合させる場合には、脚部２５５が長い搬送装置支持台２５２を採用している。つまり、選択した土台固定溝２５１に応じて、搬送装置支持台２５２の脚部２５５の長さを変更している。
【０１５１】
ところで、高位置に形成された土台固定溝２５１に対して支持板２５４を嵌合させた場合（図２８（ａ）参照）、低位置に形成された土台固定溝２５１に対して支持板２５４を嵌合させた場合（図２８（ｂ）参照）に比べて、支持板２５４の位置が高位置となる。このように、支持板２５４の位置を可変させることにより、支持板２５４の上に設置した中間搬送装置１５５の位置を高さ方向に可変することができる。
【０１５２】
このように、本実施形態では、底板形成部１０８の上面の位置と、中間搬送装置１５５の位置を高さ方向に可変可能となっている。このため、図２９で示されるように、底板形成部１０８の上面の位置を変更して収容空間２１０の容積を変更した際、それに応じて中間搬送装置１５５の位置を変更することができる。
【０１５３】
言い換えると、底板形成部１０８の上面の位置変更に伴って、収容空間２１０から遊技球を排出するための排出口の位置が可変したとしても、中間搬送装置１５５に遊技球を流入させる流入口２５８（図２８参照）の位置を調節できる。すなわち、収容空間２１０から遊技球を排出するための排出口と、中間搬送装置１５５に遊技球を流入させる流入口２５８のそれぞれの高さや、それぞれの間の距離を適正に保つことにより、収容空間２１０から中間搬送装置１５５に向かって流れる遊技球の流速を適正に保つことが可能となる。言い換えると、収容空間２１０から中間搬送装置１５５に向かって遊技球を円滑に流すことが可能となる。
【０１５４】
また、中間搬送装置１５５の設置位置の変更に伴って、中間搬送装置１５５と研磨装置３９の間に位置するレール部材２６０（搬送路）の長さや固定時の傾斜角度を変更してもよい。このことにより、中間搬送装置１５５から研磨装置３９に向かって流れる遊技球の流速を適正に保つことが可能となる。
【０１５５】
上記した第３実施形態では、内壁形成板２１６に同方向に延びる２つの底板取付用溝２２１を形成した例を示したが、本発明はこれに限るものではない。
例えば、内壁形成板２１６に形成される底板取付用溝２２１は３以上であってもよい。すなわち、複数の底板取付用溝２２１が形成されていればよい。また、壁面形成板２５０に形成された土台固定溝２５１も同様に、３以上形成してもよい。複数の土台固定溝２５１が形成されていればよい。
【０１５６】
また、上記した実施形態では、２つの底板取付用溝２２１が同角度に傾斜した例を示したが、本発明はこれに限るものではない。上下方向に離間した位置に形成される底板取付用溝２２１の傾斜角度がそれぞれ異なっていてもよい。つまり、１つの底板取付用溝２２１が、上記した場合と同様に、床面に対して所定角度Ｔだけ傾斜して延びる仮想線αに沿って延びているのであれば、他の底板取付用溝２２１は、床面に対して角度Ｔとは異なる角度で傾斜して延びる仮想線に沿って延びていてもよい。
【０１５７】
そして、仮に３つの底板取付用溝２２１を形成した場合、２つの底板取付用溝２２１が同角度で傾斜し、１つの底板取付用溝２２１が他とは異なる角度で傾斜していてもよい。すなわち、同角度で傾斜する底板取付用溝２２１の組と、それとは異なる角度で傾斜する底板取付用溝２２１とが混在していてもよい。また、内壁形成板２１６に形成したすべての底板取付用溝２２１がそれぞれ異なる角度で傾斜していてもよい。
【０１５８】
加えて、図３０で示されるように、収容空間３１０側から中間搬送装置１５５を介さずに研磨装置３９に遊技球を供給する構造としてもよい。すなわち、底板形成部１０８を底板取付用溝２２１に嵌合させ、収容空間３１０の底面を研磨装置３９に向かって下り勾配となるようにする。このとき、収容空間３１０の底面を床面に対して適正な角度傾斜させることで、研磨装置３９に向かって流れる遊技球の流速を適正な速度とすることが可能となる。つまり、底板形成部１０８の上面の高さと傾斜角度を適宜変更することで、中間搬送装置１５５を使用することなく研磨装置３９に対して遊技球を供給可能となる。
【符号の説明】
【０１５９】
１，１０１，２０１，３０１      遊技機島
１６    腰板（板状部材、側壁部）
２０    ぱちんこ機（遊技機）
３７，１１１，２１１    貯留部
４５    側壁形成板（側壁部）
４６    底板(底板部)
５０，１１０，２１０，３１０    収容空間
１０６，２０６    腰板部
１１６，２１６    内壁形成板（板状部材、側壁部）
１４３    床板本体(底板部)
１５５    中間搬送装置（搬送用設備）
２６０    レール部材（搬送路）
【図１】
2015134153.tif 000003
【図２】
2015134153.tif 000004
【図３】
2015134153.tif 000005
【図４】
2015134153.tif 000006
【図５】
2015134153.tif 000007
【図６】
2015134153.tif 000008
【図７】
2015134153.tif 000009
【図８】
2015134153.tif 000010
【図９】
2015134153.tif 000011
【図１０】
2015134153.tif 000012
【図１１】
2015134153.tif 000013
【図１２】
2015134153.tif 000014
【図１３】
2015134153.tif 000015
【図１４】
2015134153.tif 000016
【図１５】
2015134153.tif 000017
【図１６】
2015134153.tif 000018
【図１７】
2015134153.tif 000019
【図１８】
2015134153.tif 000020
【図１９】
2015134153.tif 000021
【図２０】
2015134153.tif 000022
【図２１】
2015134153.tif 000023
【図２２】
2015134153.tif 000024
【図２３】
2015134153.tif 000025
【図２４】
2015134153.tif 000026
【図２５】
2015134153.tif 000027
【図２６】
2015134153.tif 000028
【図２７】
2015134153.tif 000029
【図２８】
2015134153.tif 000030
【図２９】
2015134153.tif 000031
【図３０】
2015134153.tif 000032